(57)【要約】【課題】ドラム状の回転式スクリーンの内面が鋼球との接触で摩耗することを防止したショットクリーニング装置を提供すること。【解決手段】ダストセパレータ７のドラム状回転式スクリーン７２の入口部に固定式の補助固定用スクリーン７４を設置することにより、当該補助固定用スクリーン７４でダストの一部が処理され、回転式スクリーン７２本体側に供給されるダスト量が軽減され、鋼球およびダスト介在によるスクリーン７２の内面の摺動（擦れ）摩耗の軽減が図られ、スクリーン７２の寿命を伸ばすことが可能となる。【選択図】　　図２
2004069267.tif 000002
【特許請求の範囲】
【請求項１】
ダスト含有ガス発生源からのガスと内部流体との間で熱交換を行う熱交換器の伝熱管に供給フィーダから鋼球を散布して前記伝熱管に付着したダストを除去し、該鋼球に同伴して落下するダストと鋼球とを分離機で分離した後、該鋼球を鋼球輸送機によって熱交換器上部に設けた供給フィーダに搬送し、該供給フィーダにより再び前記熱交換器の伝熱管に鋼球を散布させるショットクリーニング装置において、
鋼球とダストを分離する分離機として、ドラム状の回転式スクリーンを備えたダストセパレータを用い、該ダストセパレータ内に補助固定スクリーンを備えたことを特徴とするショットクリーニング装置。
【請求項２】
補助固定スクリーンはドラム状の回転式スクリーンの入口側に配置したことを特徴とする請求項１記載のショットクリーニング装置。
【発明の詳細な説明】
【０００１】
【発明の属する技術分野】
本発明は、例えば石炭焚ボイラ後流に設置する排煙脱硫装置用ガスガスヒータ（ＧＧＨ）等の熱交換器、特にその伝熱管表面に付着する煤塵（ダスト）を鋼球の散布により除去するショットクリーニング装置に関する。
【０００２】
【従来の技術】
石炭焚ボイラ後流に設置される排煙脱硫装置用ＧＧＨ等のダスト除去装置として、ショットクリーニング装置が実用化されている。
【０００３】
ショットクリーニング装置の一例を図１に示す。鋼球は供給フィーダ１より鋼球分配機２に供給される。鋼球分配機２には回転するシュート３があり、このシュート３が複数の鋼球トレイ４の中の特定の鋼球トレイ４と連結したとき、鋼球は該鋼球トレイ４を通って熱交換器６上に設置されている鋼球分散器５へ送られる。鋼球は鋼球分散器５により水平配置の熱交換器６上に分散して落下し、上記熱交換器６の伝熱管表面に衝突し、その衝撃力により伝熱管表面に付着したダストを除去する。熱交換器６を通過した鋼球と鋼球に同伴して落下するダストは、ダストセパレータ７で分離され、ダストは回収系（図示せず）に送られる。一方、ダストセパレータ７で分離された鋼球は鋼球排出機８を経て鋼球輸送機９を備えた鋼球循環系に送られ、再び上記供給フィーダ１に戻り、循環使用される。
【０００４】
また、鋼球散布量を増加させる場合、鋼球タンク１１に別途貯えられている鋼球を鋼球タンクフィーダ（図示せず）を介して、鋼球排出機８より鋼球輸送機９に追加供給し、鋼球循環系内の鋼球量を増加させれば鋼球散布量を増加させることはできる。また、鋼球散布量を減少させる場合は、供給フィーダ１のみを一時停止または減速運転させ、鋼球の一部を鋼球循環系からバイパスライン１０を介して鋼球タンク１１に抜き出して貯え、鋼球循環系の鋼球循環量を減らすことで、鋼球散布量を減少させることは可能である。
【０００５】
図１のショットクリーニング装置において、ダストセパレータ７内には熱交換器６を通過した鋼球と鋼球に同伴して落下するダストを分離するためにドラム状の回転式スクリーンが設置されている。実例として３５ｔ／ｈの灰が混入した鋼球を処理できるダストセパレータ７を備えた機器がある（鋼球：３０ｔ／ｈ、灰：５ｔ／ｈ）。
【０００６】
図４にダストセパレータ７の構造例を示す。ダストセパレータ７は鋼球とダストの混合物（Ａ）を後流側に供給するスクリュー７１とダストを分離するためのドラム状の回転式スクリーン７２からなっており、さらにダスト分離効果を高めるため鋼球排出側に傾斜をもたせ、かつ、回転式スクリーン７２を回転させる機能をもたせている。回転式スクリーン７２内を鋼球とダストが移動中に回転を与えることによりダスト（Ｂ）を鋼球（Ｃ）から分離させ方式であった。なお、回転式スクリーン７２の形状としては金網、パンチングプレート等がある。回転式スクリーン７２で分離されたダスト（Ｂ）と鋼球（Ｃ）はそれぞれ別々のホッパ７３から排出される。
【０００７】
【発明が解決しようとする課題】
上記、従来技術においても鋼球に含有したダストの分離は可能であるが、以下に記すような問題点がある。
従来技術におけるダストセパレータ７は、ドラム状の回転式スクリーン７２を回転させて鋼球とダストを移動させながらダストを分離させるために鋼球と回転式スクリーン７２の内面が接触して摩耗する。摩耗は鋼球とダストによる摺動（擦れ）摩耗で、特に、ダストの含有率が高い回転式スクリーン７２内の前流側で発生するといった問題点があった。
【０００８】
実働中のプラントのダストセパレータ７を点検すると、ダストの少ない回転式スクリーン７２の後流側のスクリーン内面の摩耗は軽微であったが、上述のようにダスト量の多い回転式スクリーン７２の前流側で摩耗が認められる。
【０００９】
これは、熱交換器６を通過した鋼球に同伴して落下する多量のダストが回転式スクリーン７２の入口側（鋼球とダストの投入付近）で鋼球と回転式スクリーン７２の内面間に入り込み、また、回転式スクリーン７２の回転に伴う遠心力により、鋼球が回転式スクリーン７２の内面に押し付けられることに原因があり、ダスト中の摩耗性物質であるアルミナ、シリカにより回転式スクリーン７２の内面が摩耗されるためであった。
【００１０】
本発明の課題は、ダストセパレータ内のドラム状の回転式スクリーンの内面が鋼球との接触で摩耗することを防止したショットクリーニング装置を提供することである。
【００１１】
【課題を解決するための手段】
上記課題は、以下の手段により解決できる。
すなわち、ダスト含有ガス発生源からのガスと内部流体との間で熱交換を行う熱交換器の伝熱管に供給フィーダから鋼球を散布して前記伝熱管に付着したダストを除去し、該鋼球に同伴して落下するダストと鋼球とを分離機で分離した後、該鋼球を鋼球輸送機によって熱交換器上部に設けた供給フィーダに搬送し、該供給フィーダにより再び前記熱交換器の伝熱管に鋼球を散布させるショットクリーニング装置において、鋼球とダストを分離する分離機として、ドラム状の回転式スクリーンを備えたダストセパレータを用い、該ダストセパレータ内に補助固定スクリーンを備えたショットクリーニング装置である。
【００１２】
【作用】
本発明の上記ダストセパレータのドラム状回転式スクリーン入口部に固定式の補助固定用スクリーンを設置することにより、当該補助固定用スクリーンでダストの一部が処理され、回転式スクリーン本体側に供給されるダスト量が軽減され、鋼球およびダスト介在によるスクリーン内面の摺動（擦れ）摩耗の軽減が図られ、スクリーンの寿命を伸ばすことが可能となる。従って、スクリーン内面の摩耗等の問題が解決できる。
【００１３】
【発明の実施の形態】
以下、本発明の実施の形態を図面を用いて説明する。
本発明の実施の形態になるショットクリーニング装置の機器構成は図１に示す従来の装置と同様であり、その構成と動作に付いての説明は省略する。
【００１４】
本実施の形態のショットクリーニング装置のダストセパレータの構成を図２に示す。図２に示すダストセパレータ７は、回転スクリーン７２の入口部に補助固定用スクリーン７４を設置したタイプを採用している。
【００１５】
熱交換器６本体から持ち込まれた鋼球と大量のダストの混合物（Ａ）はダストセパレータ７のスクリュー７１により回転式スクリーン７２側に搬送される。図２（ａ）に示すように回転式スクリーン７２の入口部（鋼球とダストの投入付近）には補助固定用スクリーン７４が設置されており、図２（ｂ）にその詳細図を示すが、回転式スクリーン７２内に供給される多量のダストを含んだ鋼球は補助固定用スクリーン７４で事前処理される。
【００１６】
鋼球中に含まれたダストを補助固定用スクリーン７４で処理した後に、回転式スクリーン７２本体側へ搬送するため、回転式スクリーン７２本体側へのダスト供給量の軽減を図ることができる。
【００１７】
従って、特に、回転式スクリーン７２の入口側（鋼球とダストの投入付近）で鋼球に同伴するダスト量を少なくでき、鋼球とスクリーン７２の内面間へ入り込むダストの量を少なくできるため、回転式スクリーン７２の摺動摩耗を抑えることができる。
【００１８】
なお、補助固定スクリーン７４は固定式のため、鋼球又はダストのスクリーン７４の内面への押し付け力が小さくなり、摺動摩耗は回転式スクリーン７２に比較して少なく、摩耗量も軽微である。
また、補助固定スクリーン７４の形状としては、パンチングプレート、スリットプレート等の使用が可能である。
【００１９】
なお、実用機のダストセパレータ（スクリーン寸法：内径７００ｍｍ、全長２ｍ）で鋼球（約６ｍｍφ）とダストの混入率を変化させた時の経時的なスクリーン摩耗量（減肉）を整理した結果を図３に示す。
【００２０】
本図より鋼球中の灰混入率低減によりスクリーン摩耗量が減少することを確認している。
【００２１】
【発明の効果】
本発明によれば、鋼球散布除塵システムにおいて鋼球とダストを分離するドラム回転式ダストセパレータにおいて、回転式スクリーン入口部（鋼球とダストの投入付近）に補助固定用スクリーンを設置することにより、回転式スクリーンの摩耗の低減が可能となる。
【図面の簡単な説明】
【図１】本発明の実施の形態および従来技術のショットクリーニング装置の機器構成を示す図である。
【図２】図２（ａ）はショットクリーニング装置内のダストセパレータの構成図を示し、図２（ｂ）はその詳細図を示す
【図３】実機ダストセパレータでの鋼球とダストの混入率を変化させたものと経時的なスクリーン減肉特性を示す図である。
【図４】従来技術のショットクリーニング装置内のダストセパレータの構成図を示す。
【符号の説明】
１　供給フィーダ　　　　　　　　２　鋼球分配機
３　シュート　　　　　　　　　　４　鋼球トレイ
５　鋼球分散器　　　　　　　　　６　熱交換器
７　ダストセパレータ　　　　　　８　鋼球排出機
９　鋼球輸送機　　　　　　　　　１０　バイパスライン
１１　鋼球タンク
７１　スクリュー　　　　　　　　７２　回転式スクリーン
７３　ホッパ　　　　　　　　　　７４　補助固定用スクリーン
【図１】
2004069267.tif 000003
【図２】
2004069267.tif 000004
【図３】
2004069267.tif 000005
【図４】
2004069267.tif 000006